(57)【特許請求の範囲】
【請求項１】
地中に設置される中空構造体の上端部に設けられる受け枠部の鉄蓋支持部により嵌合支持される鉄蓋を、その一側部分を持ち上げることで開くように、その反対側部分を前記受け枠部に回動可能に連結する鉄蓋連結構造において、
前記鉄蓋はそれぞれが水平方向連結軸により連結された第１のリンク部材及び第２のリンク部材を介して前記受け枠部に連結され、
前記第１のリンク部材は一端部で前記受け枠部の内部に設けられた水平方向連結軸に回動自在に連結され、
前記第２のリンク部材は、前記第１のリンク部材の他端部の水平方向連結軸に回動自在に連結されるとともに、前記鉄蓋を開いたときに互いに衝当するように前記第１のリンク部材及び前記第２のリンク部材に形成された当たり面からなるストッパ手段により他端部が上外向き方向に所定角度で傾斜する開放位置を規制され、
前記鉄蓋は、前記第２のリンク部材の他端部に水平方向連結軸を介して回動自在に連結されるとともに、前記鉄蓋を開いたときに互いに衝当するように前記第２のリンク部材及び前記鉄蓋の下面に形成された当たり面からなるストッパ手段により他端部が上外向き方向に所定角度で傾斜する開放位置を規制され、
前記鉄蓋を開放したときに、前記第１のリンク部材の基端部に形成された当接面が前記受け枠部の内部に形成された当たり面に衝当することにより、前記第１のリンク部材の他端部が上昇する最大上向き回動位置を制限し、この最大上向き回動位置の制限によって、前記鉄蓋の下面と前記受け枠部の上面との間の最大角度を規制することを特徴とする鉄蓋連結構造。
【請求項２】
地中に設置される中空構造体の上端部に設けられる受け枠部の鉄蓋支持部により嵌合支持される鉄蓋を、その一側部分を持ち上げることで開くように、その反対側部分を前記受け枠部に回動可能に連結する鉄蓋連結構造において、
前記鉄蓋はそれぞれが水平方向連結軸により連結された第１のリンク部材及び第２のリンク部材を介して前記受け枠部に連結され、
前記第１のリンク部材は一端部で前記受け枠部の内部に設けられた水平方向連結軸に回動自在に連結され、
前記第２のリンク部材は、前記第１のリンク部材の他端部の水平方向連結軸に回動自在に連結されるとともに、前記鉄蓋を開いたときに互いに衝当するように前記第１のリンク部材及び前記第２のリンク部材に形成された当たり面からなるストッパ手段により他端部が上外向き方向に所定角度で傾斜する開放位置を規制され、
前記鉄蓋は、前記第２のリンク部材の他端部に水平方向連結軸を介して回動自在に連結されるとともに、前記鉄蓋を開いたときに互いに衝当するように前記第２のリンク部材及び前記鉄蓋の下面に形成された当たり面からなるストッパ手段により他端部が上外向き方向に所定角度で傾斜する開放位置を規制され、
前記鉄蓋を開いてその上面を前記受け枠部の上端内周縁に当接させたとき、該鉄蓋の下面と前記受け枠部の上面との間の最大角度が規制されることを特徴とする鉄蓋連結構造。
【請求項３】
前記鉄蓋の下面と前記受け枠部の上面との間の最大角度が約１３５度であることを特徴とする請求項１又は２に記載の鉄蓋連結構造。
【発明の詳細な説明】
【０００１】
【発明の属する技術分野】
本発明は地中に設置される中空構造体の地面近傍の上端部に設けられる受け枠部に鉄蓋を開閉可能に連結するための鉄蓋連結構造に関する。
【０００２】
特に、都市部あるいはその近郊の地下には、水道、ガスあるいは電気などを供給するための布設管が埋設されており、これらの布設管には切換弁などの制御弁あるいはコネクターやブレーカー等が適宜接続されており、これらを路面上から操作したり、保守点検したり、更にこれらを保護するとともに設置場所を明示する必要がある。この目的のために、中空構造の埋設筐を地中に埋設状態で設置することが行なわれている。なお、マンホールの場合にも、同様の埋設筐を設置することがある。
【０００３】
上記の地中に設置される中空構造体の上端開口部は鉄蓋によって開閉可能に覆われている。この鉄蓋は、前記中空構造体の上端部に設けられる受け枠部の鉄蓋支持面により路面と略同一高さに嵌合支持されている。また、前記鉄蓋は、前記受け枠部に対して鉄蓋連結構造により開閉可能に連結されており、その一側部分を持ち上げて上方へ回動させて開くように、その反対側部分で前記受け枠部に対して回動可能に連結されている。
【０００４】
【発明が解決しようとする課題】
しかしながら、この種の鉄蓋連結構造の従来構成では、鉄蓋を持ち上げて開いたり鉄蓋を受け枠内に位置決めして閉じる作業に多大の労力を必要とし、また、開いた鉄蓋を所望の外向き傾斜角度で保持する際の安定性が十分でなく、作業性及び取扱い性が低いという技術的課題があった。
【０００５】
本発明はこのような技術的課題に鑑みてなされたものであり、本発明の目的は、鉄蓋の一端部を持ち上げるだけで該鉄蓋を容易に開くことができ、開いた鉄蓋を所定の外向き傾斜角度で安定した状態で保持することができ、鉄蓋の一端部を押し戻すだけで該鉄蓋を容易に閉めることができ、作業性及び取扱い性にすぐれた鉄蓋連結構造を提供することである。
【０００６】
【課題解決のための手段】
本発明（請求項１）は、上記目的を達成するため、地中に設置される中空構造体の上端部に設けられる受け枠部の鉄蓋支持部により嵌合支持される鉄蓋を、その一側部分を持ち上げることで開くように、その反対側部分を前記受け枠部に回動可能に連結する鉄蓋連結構造において、前記鉄蓋はそれぞれが水平方向連結軸により連結された第１のリンク部材及び第２のリンク部材を介して前記受け枠部に連結され、前記第１のリンク部材は一端部で前記受け枠部の内部に設けられた水平方向連結軸に回動自在に連結され、前記第２のリンク部材は、前記第１のリンク部材の他端部の水平方向連結軸に回動自在に連結されるとともに、前記鉄蓋を開いたときに互いに衝当するように前記第１のリンク部材及び前記第２のリンク部材に形成された当たり面からなるストッパ手段により他端部が上外向き方向に所定角度で傾斜する開放位置を規制され、前記鉄蓋は、前記第２のリンク部材の他端部に水平方向連結軸を介して回動自在に連結されるとともに、前記鉄蓋を開いたときに互いに衝当するように前記第２のリンク部材及び前記鉄蓋の下面に形成された当たり面からなるストッパ手段により他端部が上外向き方向に所定角度で傾斜する開放位置を規制され、前記鉄蓋を開放したときに、前記第１のリンク部材の基端部に形成された当接面が前記受け枠部の内部に形成された当たり面に衝当することにより、前記第１のリンク部材の他端部が上昇する最大上向き回動位置を制限し、この最大上向き回動位置の制限によって、前記鉄蓋の下面と前記受け枠部の上面との間の最大角度を規制することを特徴とする。
【０００７】
本発明（請求項２）は、上記目的を達成するため、地中に設置される中空構造体の上端部に設けられる受け枠部の鉄蓋支持部により嵌合支持される鉄蓋を、その一側部分を持ち上げることで開くように、その反対側部分を前記受け枠部に回動可能に連結する鉄蓋連結構造において、前記鉄蓋はそれぞれが水平方向連結軸により連結された第１のリンク部材及び第２のリンク部材を介して前記受け枠部に連結され、前記第１のリンク部材は一端部で前記受け枠部の内部に設けられた水平方向連結軸に回動自在に連結され、前記第２のリンク部材は、前記第１のリンク部材の他端部の水平方向連結軸に回動自在に連結されるとともに、前記鉄蓋を開いたときに互いに衝当するように前記第１のリンク部材及び前記第２のリンク部材に形成された当たり面からなるストッパ手段により他端部が上外向き方向に所定角度で傾斜する開放位置を規制され、前記鉄蓋は、前記第２のリンク部材の他端部に水平方向連結軸を介して回動自在に連結されるとともに、前記鉄蓋を開いたときに互いに衝当するように前記第２のリンク部材及び前記鉄蓋の下面に形成された当たり面からなるストッパ手段により他端部が上外向き方向に所定角度で傾斜する開放位置を規制され、前記鉄蓋を開いてその上面を前記受け枠部の上端内周縁に当接させたとき、該鉄蓋の下面と前記受け枠部の上面との間の最大角度が規制されることを特徴とする。
【０００８】
【発明の実施の形態】
以下、図面を参照して本発明の実施の形態を説明する。図１は本発明を適用した鉄蓋連結構造の一実施例を備えた埋設筐の鉄蓋を閉じた状態を示す図３中の線１−１に沿った縦断面図であり、図２は図１において鉄蓋を開いた状態を示す縦断面図であり、図３は図１の埋設筐の平面図であり、図４は図２中の二点鎖線の円５で囲んだ範囲を拡大して示す部分縦断面図である。
【０００９】
図１〜図４において、地下に埋設された筒状（図示の例では長方形断面の筒状）の制水弁筐やマンホール等の中空構造体（埋設構造物、埋設筐）１の上端面には、中央開口を有する環状（図示の例では四角の環状）の受け枠部２が設けられており、この受け枠部２の開口部に同様の形状（四角形状）をした鉄蓋３が嵌合支持されている。図中の符号４は地面（又は路面）の高さ位置を例示するものである。前記受け枠部２及び前記鉄蓋３は、通常、ダクタイル鋳鉄等の鋳造品で作られており、前記埋設筐（中空構造体）１はその構造や大きさに応じてコンクリート（レジンコンクリート等の特殊コンクリートを含む）や鋳造品（鋳鉄など）など種々の材質で作ることができる。前記受け枠部２が前記埋設筐１に一体に設けられる場合は、両者は同じ材質で形成される。
【００１０】
前記鉄蓋３は、その周縁の一部（図示の例では一方の短辺部）において、前記受け枠部２に対してリンク機構から成る鉄蓋連結構造１０を介して開閉可能（又は持ち上げ可能）に取り付けられている。図示の例では、前記鉄蓋連結構造１０は所定間隔をおいた２箇所に平列状態で設けられた連結部で構成されているが、これは１箇所又は３箇所以上に設けた連結部で構成してもよい。前記鉄蓋連結構造１０が設けられた辺の反対側の辺（対向する辺）には、把手付きの鉄蓋ロック機構５０が設けられている。この鉄蓋ロック機構５０は、鉄蓋３を図１の閉じ位置にロックするとともに、ロックを解除して該鉄蓋３を持ち上げて開放するためのものである。
【００１１】
前記鉄蓋ロック機構５０は、図１及び図２に示すように、ロック部材５１と把手部材５２とを備えている。前記把手部材５２は、上下方向に延びる棒状本体部５３と該棒状本体部の上端部に設けられたハンドル部５４と該棒状本体部の下端部に設けられた抜け止めストッパ５５とで構成されている。一方、前記ロック部材５１は、前記棒状本体部５３に上下方向摺動自在に嵌合されており、筒状本体部５６と該筒状本体部の上端部に設けられたフランジ部５７と該筒状本体部の下端部に設けられた腕部５８とで構成されている。
【００１２】
そして、前記把手部材５２は前記鉄蓋３に形成された開口（貫通孔）を通して延在し、前記ハンドル部５４が図示のように鉄蓋３の上側（外面）に位置している。さらに、前記ロック部材５１の内径と前記棒状本体部５３の外径とには、両者５１、５３を回転方向には一体に回動するが軸方向には互いに摺動可能に係合させるための凹溝及び凸条から成る凹凸係合部が設けられている。そして、前記ロック部材５１は、前記ハンドル部５４と前記抜け止めストッパ５５により、前記棒状本体部５３から抜け落ちないように装着されている。
【００１３】
図１に示す鉄蓋ロック状態では、前記ロック部材５１は、そのフランジ部５７とアーム部５８との間で受け枠部２の一部と鉄蓋３の一部を挟むような回転位置にあり、該鉄蓋３は図示の閉じ状態にロックされている。鉄蓋３を開く場合は、路面上から前記ハンドル部５４を握って把手部材５２を持ち上げるとともに所定角度回転させることにより前記アーム部５８を解放位置（離脱位置）にした後、前記把手部材５２をさらに持ち上げることにより前記ロック部材５１を介して該鉄蓋３を持ち上げ、該鉄蓋３を前記鉄蓋連結構造（リンク機構）１０のリンク作動を利用しながら回転させ、図２に示すような開き状態（開放状態）にする。このような鉄蓋ロック機構５０によれば、鉄蓋３を開閉するための開閉手段をコンパクトな構成で鉄蓋自体に備付けで設けることができ、鉄蓋３を開けるための特別な開閉作業用の治具を必要とせず、作業性及び取扱い性にすぐれた鉄蓋開閉装置が得られる。
【００１４】
次に、前記鉄蓋連結構造１０について説明する。図１、図２及び図４において、前記鉄蓋連結構造１０は、受け枠部２に対して、２つのリンク部材１１、１２を介して鉄蓋３を連結するように構成されている。すなわち、前記鉄蓋３は、それぞれが水平方向連結軸１３により連結された第１のリンク部材１１及び第２のリンク部材１２を介して前記受け枠部２に連結されている。
【００１５】
そこで、前記第１のリンク部材１１は、一端部で前記受け枠部２の内部に設けられた水平方向連結軸１４に回動自在に連結されている。また、前記第２のリンク部材は１２は前記第１のリンク部材１１の他端部の前記水平方向連結軸１３に回動自在に連結されるとともに前記第１のリンク部材１１との間に設けられたストッパ手段１６により他端部が上外向き方向に所定角度で傾斜する開放位置（例えば、図２及び図４に示す状態）に規制されている。このストッパ手段１６は、図４中に鎖線で示すように、鉄蓋３を開いたときに互いに衝当するように第１のリンク部材１１及び第２のリンク部材１２のそれぞれに形成された当たり面２１、２２で構成されている。ただし、このストッパ手段１６は、これ以外の構成のものでも良く、両者間の角度位置を規制できるものであれば種々の構成にすることができる。
【００１６】
さらに、前記鉄蓋３は、前記第２のリンク部材１２の他端部に水平方向連結軸１７を介して回動自在に連結されるとともに、前記第２のリンク部材１２との間に設けられたストッパ手段１８により他端部が上外向き方向に所定角度で傾斜する開放位置（例えば、図２及び図４に示す状態）に規制されている。このストッパ手段１８は、図４中に鎖線で示すように、鉄蓋３を開いたときに互いに衝当するように形成された当たり面、すなわち第２のリンク部材１２に形成された当たり面２３と鉄蓋３の下面に形成された当たり面２４とで構成されている。ただし、このストッパ手段１８の構成も、これに限定されるものではなく、両者間の角度位置を規制できるものであれば種々の構成にすることができる。
【００１７】
前記鉄蓋３の開放位置としては、図２に示すような鉄蓋３の下面と受け枠部２の上面との間の角度αが例えば約１３５度になる位置に設定される。また、前記鉄蓋３は、図２及び図４に示すような開き位置で、その上面を前記受け枠部２の上端内周縁１９（図４）に当接させて保持してもよく、その場合も、図２に示す鉄蓋３の下面と受け枠部２の上面との間の角度αは約１３５度になる位置に設定される。なお、鉄蓋３の上面を受け枠部２の上端内周縁１９に当接させる場合は、前記第１のリンク部材１１の他端部の最大上向き回動位置を規制するための前記当たり面１５等によるストッパ手段は通常省略される。
【００１８】
以上説明した実施例によれば、地中に設置される中空構造体１の上端部に設けられる受け枠部２の鉄蓋支持部により嵌合支持される鉄蓋３を、その一側部分を持ち上げることで開くように、その反対側部分を受け枠部２に回動可能に連結する鉄蓋連結構造１０において、鉄蓋３はそれぞれが水平方向連結軸１３により連結された第１のリンク部材１１及び第２のリンク部材１２を介して受け枠部２に連結され、第１のリンク部材１１は一端部で受け枠部２の内部に設けられた水平方向連結軸１４に回動自在に連結され、第２のリンク部材１２は、第１のリンク部材１１の他端部の水平方向連結軸１３に回動自在に連結されるとともに、鉄蓋３を開いたときに互いに衝当するように第１のリンク部材１１及び第２のリンク部材１２に形成された当たり面２１、２２からなるストッパ手段１６により他端部が上外向き方向に所定角度で傾斜する開放位置を規制され、鉄蓋３は、第２のリンク部材１２の他端部に水平方向連結軸１７を介して回動自在に連結されるとともに、鉄蓋３を開いたときに互いに衝当するように第２のリンク部材１２及び鉄蓋３の下面に形成された当たり面２３、２４からなるストッパ手段１８により他端部が上外向き方向に所定角度で傾斜する開放位置を規制され、鉄蓋３を開放したときに、第１のリンク部材１１の基端部に形成された当接面２０が受け枠部２の内部に形成された当たり面１５に衝当することにより、第１のリンク部材１１の他端部が上昇する最大上向き回動位置を制限し、この最大上向き回動位置の制限によって、鉄蓋３の下面と受け枠部２の上面との間の最大角度を規制するように構成された鉄蓋連結構造が提供される。
また、上記第１のリンク部材１１の基端部に形成された当接面２０を受け枠部２の内部に形成された当たり面１５に衝当させる代わりに、前記鉄蓋を開いてその上面を前記受け枠部の上端内周縁に当接させることにより、該鉄蓋の下面と前記受け枠部の上面との間の最大角度を規制するように構成された鉄蓋連結構造が提供される。
【００１９】
そして、上記の実施例構造においては、図４中に二点鎖線で示すように、第１のリンク部材１１の基端部に当接面２０を形成するとともに、前記受け枠部２の内部の前記当接面２０に対応する部位に当たり面１５を形成し、鉄蓋３を開放したときに前記当接面２０が前記当たり面１５に衝当することにより、前記第１のリンク部材１１の他端部が上昇する最大上向き回動位置を制限し、それによって、前記鉄蓋３の下面と前記受け枠部２の上面との間の最大角度α（図２）を規制するように構成してもよい。また、前記当接面２０を前記当たり面１５に衝当させる代わりに、図４中の実線で示すように、前記鉄蓋３を開いてその上面を前記受け枠部２の上端内周縁１９に当接させることにより、該鉄蓋３の下面と前記受け枠部２の上面との間の最大角度α（図２）を規制するように構成してもよい。
【００２０】
そして、図２に示すように鉄蓋３を開いた状態における前記角度α、つまり前記鉄蓋３の下面と前記受け枠部２の上面との間の最大角度が約１３５度になるように構成することが好ましい。その理由は、鉄蓋３を開いた状態に安定して保持したり、閉じる際の作業性の点から、上記の１３５度前後が最適であると確認されたからである。そして、このような構成によれば、鉄蓋３の一端部を持ち上げるだけで該鉄蓋を容易に開くことができ、開いた鉄蓋３を所定の外向き傾斜角度（例えば図２中の角度α＝約１３５度）で安定した状態で保持することができ、鉄蓋３の一端部を押し戻すだけで該鉄蓋を容易に閉めることができ、作業性及び取扱い性にすぐれた鉄蓋連結構造が提供される。
【００２１】
なお、上記実施例では、鉄蓋３（及び受け枠部２）が長方形をした四角断面の埋設筐の場合を例示したが、本発明は、円形断面や、多角形断面など、埋設筐の断面形状に関係なく広く適用可能であり、同様の作用効果が得られるものである。また、埋設筐あるいは中空構造体の種類、構造（一体型、積み重ね構造、内外嵌合型など）、大きさ、使用目的などにも関係なく広く適用可能であり、同様の作用効果が得られるものである。さらに、受け枠部が中空構造体と一体に形成される場合にも同様に適用可能であり、同様の作用効果を得ることができる。
【００２２】
【発明の効果】
本発明（請求項１及び請求項２）によれば、鉄蓋の一端部を持ち上げるだけで該鉄蓋を容易に開くことができ、開いた鉄蓋を所定の外向き傾斜角度で安定した状態で保持することができ、鉄蓋の一端部を押し戻すだけで該鉄蓋を容易に閉めることができ、作業性及び取扱い性にすぐれた鉄蓋連結構造が提供される。
【図面の簡単な説明】
【図１】本発明を適用した鉄蓋連結構造の一実施例を備えた埋設筐の鉄蓋を閉じた状態を示す図３中の線１−１に沿った縦断面図である。
【図２】図１において鉄蓋を開いた状態を示す縦断面図である。
【図３】図１の埋設筐の平面図である。
【図４】図２中の二点鎖線の円で囲んだ範囲を拡大して示す部分縦断面図である。
【符号の説明】
１      中空構造体（埋設構造物、埋設筐）
２      受け枠部
３      鉄蓋
４      地面（路面）
１０    鉄蓋連結構造
１１    第１のリンク部材
１２    第２のリンク部材
１３    水平方向連結軸
１４    水平方向連結軸
１５    当たり面（受け枠部）
１６    ストッパ手段
１７    水平方向連結軸
１８    ストッパ手段
１９    上端内周縁（受け枠部）
２０    当接面（第１のリンク部材）
２１    当たり面（第１のリンク部材）
２２    当たり面（第２のリンク部材）
２３    当たり面（第２のリンク部材）
２４    当たり面（鉄蓋）
５０    鉄蓋ロック機構
５１    ロック部材
５２    把手部材
５３    棒状本体部
５４    ハンドル部
５５    抜け止めストッパ
５６    筒状本体部
５７    フランジ部
５８    アーム部
【図１】
0003773712.tif 000002
【図２】
0003773712.tif 000003
【図３】
0003773712.tif 000004
【図４】
0003773712.tif 000005